(57)【特許請求の範囲】
【請求項１】
物体側から順に、正の屈折力を持つ第１レンズ群、負の屈折力を持つ第２レンズ群、正の屈折力を持つ第３レンズ群、及び正の屈折力を持つ第４レンズ群で構成され、短焦点距離端から長焦点距離端への変倍に際し、第１レンズ群と第２レンズ群のレンズ群間隔が増加し、第２レンズ群と第３レンズ群のレンズ群間隔が減少するズームレンズ系において、
第１レンズ群は、物体側から順に、フォーカシング時に光軸方向の位置が固定された正の屈折力を持つ第１ａレンズ群、及びフォーカシング時に光軸方向に移動する正の屈折力を持つ第１ｂレンズ群で構成されており、
次の条件式（１）、（３）を満足することを特徴とするズームレンズ系。
（１）０．３５＜ｆ１ｂ／ｆ１ａ＜０．５７
（３）２．１５＜ｆ１ｗ／ｆｗ＜２．８８
但し、
ｆ１ｂ：第１ｂレンズ群の焦点距離、
ｆ１ａ：第１ａレンズ群の焦点距離、
ｆ１ｗ：短焦点距離端における無限遠合焦時の第１レンズ群の焦点距離、
ｆｗ：短焦点距離端における全系の焦点距離。
【請求項２】
請求項１記載のズームレンズ系において、次の条件式（４）を満足するズームレンズ系。
（４）−０．９＜ｆ２／ｆｗ＜−０．６
但し、
ｆ２：第２レンズ群の焦点距離、
ｆｗ：短焦点距離端における全系の焦点距離。
【請求項３】
物体側から順に、正の屈折力を持つ第１レンズ群、負の屈折力を持つ第２レンズ群、正の屈折力を持つ第３レンズ群、及び正の屈折力を持つ第４レンズ群で構成され、短焦点距離端から長焦点距離端への変倍に際し、第１レンズ群と第２レンズ群のレンズ群間隔が増加し、第２レンズ群と第３レンズ群のレンズ群間隔が減少するズームレンズ系において、
第１レンズ群は、物体側から順に、フォーカシング時に光軸方向の位置が固定された正の屈折力を持つ第１ａレンズ群、及びフォーカシング時に光軸方向に移動する正の屈折力を持つ第１ｂレンズ群で構成されており、
次の条件式（１）、（４）を満足することを特徴とするズームレンズ系。
（１）０．３５＜ｆ１ｂ／ｆ１ａ＜０．５７
（４）−０．９＜ｆ２／ｆｗ＜−０．６
但し、
ｆ１ｂ：第１ｂレンズ群の焦点距離、
ｆ１ａ：第１ａレンズ群の焦点距離、
ｆ２：第２レンズ群の焦点距離、
ｆｗ：短焦点距離端における全系の焦点距離。
【請求項４】
請求項１ないし３のいずれか１項記載のズームレンズ系において、次の条件式（２）を満足するズームレンズ系。
（２）−４．４＜ｆ１ｗ／ｆ２＜−３．２
但し、
ｆ１ｗ：短焦点距離端における無限遠合焦時の第１レンズ群の焦点距離、
ｆ２：第２レンズ群の焦点距離。
【請求項５】
請求項１ないし４のいずれか１項記載のズームレンズ系において、第４レンズ群は、短焦点距離端から長焦点距離端への変倍に際し、像面に対して固定されているズームレンズ系。
【請求項６】
物体側から順に、正の屈折力を持つ第１レンズ群、負の屈折力を持つ第２レンズ群、正の屈折力を持つ第３レンズ群、及び正の屈折力を持つ第４レンズ群で構成され、短焦点距離端から長焦点距離端への変倍に際し、第１レンズ群と第２レンズ群のレンズ群間隔が増加し、第２レンズ群と第３レンズ群のレンズ群間隔が減少するズームレンズ系において、
第１レンズ群は、物体側から順に、フォーカシング時に光軸方向の位置が固定された正の屈折力を持つ第１ａレンズ群、及びフォーカシング時に光軸方向に移動する正の屈折力を持つ第１ｂレンズ群で構成されており、
第４レンズ群は、短焦点距離端から長焦点距離端への変倍に際し、像面に対して固定されており、
次の条件式（１）、（２）を満足することを特徴とするズームレンズ系。
（１）０．３５＜ｆ１ｂ／ｆ１ａ＜０．５７
（２）−４．４＜ｆ１ｗ／ｆ２＜−３．２
但し、
ｆ１ｂ：第１ｂレンズ群の焦点距離、
ｆ１ａ：第１ａレンズ群の焦点距離、
ｆ１ｗ：短焦点距離端における無限遠合焦時の第１レンズ群の焦点距離、
ｆ２：第２レンズ群の焦点距離。
【請求項７】
請求項１ないし６のいずれか１項記載のズームレンズ系において、第１レンズ群は、次の条件式（５）を満足する少なくとも１枚の正レンズを有するズームレンズ系。
（５）９１＜ν１
但し、
ν１：第１レンズ群中の少なくとも１枚の正レンズのｄ線に対するアッベ数。
【請求項８】
請求項１ないし７のいずれか１項記載のズームレンズ系において、短焦点距離端から長焦点距離端への変倍に際し、第１ａレンズ群と第１ｂレンズ群のレンズ群間隔が変化しないズームレンズ系。
【請求項９】
請求項１ないし７のいずれか１項記載のズームレンズ系において、短焦点距離端から長焦点距離端への変倍に際し、第１ａレンズ群と第１ｂレンズ群のレンズ群間隔が変化するズームレンズ系。
【請求項１０】
請求項１ないし９のいずれか１項記載のズームレンズ系を備えた電子撮像装置。
【発明の詳細な説明】
【技術分野】
【０００１】
本発明は、ズームレンズ系及びこれを備えた電子撮像装置に関する。
【背景技術】
【０００２】
小型化と高性能化を狙ったズームレンズ系として、物体側から順に、正の屈折力を持つ第１レンズ群、負の屈折力を持つ第２レンズ群、正の屈折力を持つ第３レンズ群、及び正の屈折力を持つ第４レンズ群で構成された４群ズームレンズ系が知られている（特許文献１−３）。
【０００３】
これらの４群ズームレンズ系は、主に第２レンズ群で変倍を行い、第３レンズ群でこの変倍に伴う像面変動を補償し、第１レンズ群を前群と後群に分けてこの後群をフォーカスレンズ群とするインナーフォーカス方式を採用している。これにより、ズーミング及びフォーカシングの際に光学全長が変わらず、Ｆナンバーの変動が少ない光学系を得ることができる。
【先行技術文献】
【特許文献】
【０００４】
【特許文献１】特開２００２−６２１５号公報
【特許文献２】特開２００８−７０４５０号公報
【特許文献３】特開２００２−１６２５６４号公報
【発明の概要】
【発明が解決しようとする課題】
【０００５】
しかしながら、特許文献１のズームレンズ系は、各レンズ群（特に第４レンズ群）のレンズ枚数が少なすぎるため、フォーカシング時の倍率色収差変動が大きい。また、特許文献２、３のズームレンズ系は、第４レンズ群の一部を光軸直交方向に移動する像ぶれ補正レンズ群（防振レンズ群）としているため、レンズ枚数が多く構造が複雑で高コストである。
【０００６】
さらに、特許文献１−３のいずれのズームレンズ系も、第１レンズ群の前群と、フォーカスレンズ群である第１レンズ群の後群のパワーバランスが不適切である。このため、特許文献１、２のズームレンズ系にあっては、フォーカスレンズ群である第１レンズ群の後群のパワーが強すぎて、特に長焦点距離端において球面収差や非点収差等の諸収差が大きく発生する。また特許文献３のズームレンズ系にあっては、フォーカスレンズ群である第１レンズ群の後群のパワーが弱すぎてフォーカシング移動量が大きくなる結果、フォーカシング時の色収差変動が大きくなる。
【０００７】
本発明は、以上の問題意識に基づいて完成されたものであり、フォーカシング移動量を小さくして迅速なフォーカシングが可能であり、構造が簡単で低コストであり、より優れた光学性能を持つズームレンズ系及びこれを備えた電子撮像装置を得ることを目的とする。
【課題を解決するための手段】
【０００８】
本発明のズームレンズ系は、第１の態様では、物体側から順に、正の屈折力を持つ第１レンズ群、負の屈折力を持つ第２レンズ群、正の屈折力を持つ第３レンズ群、及び正の屈折力を持つ第４レンズ群で構成され、短焦点距離端から長焦点距離端への変倍に際し、第１レンズ群と第２レンズ群のレンズ群間隔が増加し、第２レンズ群と第３レンズ群のレンズ群間隔が減少するズームレンズ系において、第１レンズ群は、物体側から順に、フォーカシング時に光軸方向の位置（像面との距離）が固定された正の屈折力を持つ第１ａレンズ群、及びフォーカシング時に光軸方向に移動する正の屈折力を持つ第１ｂレンズ群で構成されており、次の条件式（１）、（３）を満足することを特徴としている。
（１）０．３５＜ｆ１ｂ／ｆ１ａ＜０．５７
（３）２．１５＜ｆ１ｗ／ｆｗ＜２．８８
但し、
ｆ１ｂ：第１ｂレンズ群の焦点距離[mm]、
ｆ１ａ：第１ａレンズ群の焦点距離[mm]、
ｆ１ｗ：短焦点距離端における無限遠合焦時の第１レンズ群の焦点距離[mm]、
ｆｗ：短焦点距離端における全系の焦点距離[mm]、
である。
【０００９】
本発明のズームレンズ系は、第２の態様では、物体側から順に、正の屈折力を持つ第１レンズ群、負の屈折力を持つ第２レンズ群、正の屈折力を持つ第３レンズ群、及び正の屈折力を持つ第４レンズ群で構成され、短焦点距離端から長焦点距離端への変倍に際し、第１レンズ群と第２レンズ群のレンズ群間隔が増加し、第２レンズ群と第３レンズ群のレンズ群間隔が減少するズームレンズ系において、第１レンズ群は、物体側から順に、フォーカシング時に光軸方向の位置（像面との距離）が固定された正の屈折力を持つ第１ａレンズ群、及びフォーカシング時に光軸方向に移動する正の屈折力を持つ第１ｂレンズ群で構成されており、次の条件式（１）、（４）を満足することを特徴としている。
（１）０．３５＜ｆ１ｂ／ｆ１ａ＜０．５７
（４）−０．９＜ｆ２／ｆｗ＜−０．６
但し、
ｆ１ｂ：第１ｂレンズ群の焦点距離[mm]、
ｆ１ａ：第１ａレンズ群の焦点距離[mm]、
ｆ２：第２レンズ群の焦点距離[mm]、
ｆｗ：短焦点距離端における全系の焦点距離[mm]、
である。
【００１０】
本発明のズームレンズ系は、第３の態様では、物体側から順に、正の屈折力を持つ第１レンズ群、負の屈折力を持つ第２レンズ群、正の屈折力を持つ第３レンズ群、及び正の屈折力を持つ第４レンズ群で構成され、短焦点距離端から長焦点距離端への変倍に際し、第１レンズ群と第２レンズ群のレンズ群間隔が増加し、第２レンズ群と第３レンズ群のレンズ群間隔が減少するズームレンズ系において、第１レンズ群は、物体側から順に、フォーカシング時に光軸方向の位置（像面との距離）が固定された正の屈折力を持つ第１ａレンズ群、及びフォーカシング時に光軸方向に移動する正の屈折力を持つ第１ｂレンズ群で構成されており、第４レンズ群は、短焦点距離端から長焦点距離端への変倍に際し、像面に対して固定されており、次の条件式（１）、（２）を満足することを特徴としている。
（１）０．３５＜ｆ１ｂ／ｆ１ａ＜０．５７
（２）−４．４＜ｆ１ｗ／ｆ２＜−３．２
但し、
ｆ１ｂ：第１ｂレンズ群の焦点距離[mm]、
ｆ１ａ：第１ａレンズ群の焦点距離[mm]、
ｆ１ｗ：短焦点距離端における無限遠合焦時の第１レンズ群の焦点距離[mm]、
ｆ２：第２レンズ群の焦点距離[mm]、
である。
【００１２】
本発明のズームレンズ系は、第１レンズ群が、次の条件式（５）を満足する少なくとも１枚の正レンズを有することが好ましい。
（５）９１＜ν１
但し、
ν１：第１レンズ群中の少なくとも１枚の正レンズのｄ線に対するアッベ数、
である。
【００１３】
本発明のズームレンズ系は、その一態様では、短焦点距離端から長焦点距離端への変倍に際し、第１ａレンズ群と第１ｂレンズ群のレンズ群間隔が変化しないように構成することができる。この態様のズームレンズ系は、物体側から順に正負正正の４群ズームレンズ系である。
【００１４】
本発明のズームレンズ系は、別の態様では、短焦点距離端から長焦点距離端への変倍に際し、第１ａレンズ群と第１ｂレンズ群のレンズ群間隔が変化するように構成することができる。この態様のズームレンズ系は、実質的には、物体側から順に正正負正正の５群ズームレンズ系である。
【００１５】
本発明は、デジタルカメラやビデオカメラ等の電子撮像装置の態様では、以上のように構成されたズームレンズ系を備えている。
【発明の効果】
【００１６】
本発明によれば、フォーカシング移動量を小さくして迅速なフォーカシングが可能であり、構造が簡単で低コストであり、より優れた光学性能を持つズームレンズ系及びこれを備えた電子撮像装置が得られる。
【図面の簡単な説明】
【００１７】
【図１】本発明によるズームレンズ系の数値実施例１の長焦点距離端における無限遠合焦時のレンズ構成図である。
【図２】図１の構成における諸収差図である。
【図３】図１の構成における横収差図である。
【図４】同数値実施例１の短焦点距離端における無限遠合焦時のレンズ構成図である。
【図５】図４の構成における諸収差図である。
【図６】図４の構成における横収差図である。
【図７】本発明によるズームレンズ系の数値実施例２の長焦点距離端における無限遠合焦時のレンズ構成図である。
【図８】図７の構成における諸収差図である。
【図９】図７の構成における横収差図である。
【図１０】同数値実施例２の短焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の長焦点距離端における無限遠合焦時のレンズ構成図である。
【図１４】図１３の構成における諸収差図である。
【図１５】図１３の構成における横収差図である。
【図１６】同数値実施例３の短焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の長焦点距離端における無限遠合焦時のレンズ構成図である。
【図２０】図１９の構成における諸収差図である。
【図２１】図１９の構成における横収差図である。
【図２２】同数値実施例４の短焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の長焦点距離端における無限遠合焦時のレンズ構成図である。
【図２６】図２５の構成における諸収差図である。
【図２７】図２５の構成における横収差図である。
【図２８】同数値実施例５の短焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の長焦点距離端における無限遠合焦時のレンズ構成図である。
【図３２】図３１の構成における諸収差図である。
【図３３】図３１の構成における横収差図である。
【図３４】同数値実施例６の短焦点距離端における無限遠合焦時のレンズ構成図である。
【図３５】図３４の構成における諸収差図である。
【図３６】図３４の構成における横収差図である。
【図３７】本発明によるズームレンズ系の第１のズーム軌跡を示す簡易移動図である。
【図３８】本発明によるズームレンズ系の第２のズーム軌跡を示す簡易移動図である。
【発明を実施するための形態】
【００１８】
本実施形態のズームレンズ系は、図３７、図３８の簡易移動図に示すように、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４で構成されている。第１レンズ群Ｇ１は、物体側から順に、正の屈折力を持つ第１ａレンズ群Ｇ１ａ、及び正の屈折力を持つ第１ｂレンズ群Ｇ１ｂで構成されている。Ｉは像面である。
【００１９】
本実施形態のズームレンズ系は、数値実施例１−３では、図３７の簡易移動図に示すように、第１レンズ群Ｇ１の第１ａレンズ群Ｇ１ａと第１ｂレンズ群Ｇ１ｂを一体に移動させる態様（つまり物体側から順に正負正正の４群ズームレンズ系）であり、数値実施例４−６では、図３８の簡易移動図に示すように、第１レンズ群Ｇ１の第１ａレンズ群Ｇ１ａと第１ｂレンズ群Ｇ１ｂを別々に移動させる態様（つまり物体側から順に正正負正正の５群ズームレンズ系）である。いずれの態様であっても、短焦点距離端（Ｗｉｄｅ）から長焦点距離端（Ｔｅｌｅ）への変倍（ズーミング）に際し、第１レンズ群Ｇ１（第１ｂレンズ群Ｇ１ｂ）と第２レンズ群Ｇ２のレンズ群間隔が増加し、第２レンズ群Ｇ２と第３レンズ群Ｇ３のレンズ群間隔が減少する。
【００２０】
より詳細には、図３７の簡易移動図に示すように、第１レンズ群Ｇ１（第１ａレンズ群Ｇ１ａと第１ｂレンズ群Ｇ１ｂ）は、数値実施例１−３では、短焦点距離端から長焦点距離端への変倍に際し、像面に対して固定されている。第２レンズ群Ｇ２は、数値実施例１−３では、短焦点距離端から長焦点距離端への変倍に際し、単調に像側に移動する。第３レンズ群Ｇ３は、数値実施例１、２では、短焦点距離端から長焦点距離端への変倍に際し、一旦像側に移動してから若干量だけ物体側に戻り（結果として像側に移動し）、数値実施例３では、短焦点距離端から長焦点距離端への変倍に際し、一旦像側に移動してから短焦点距離端の位置を超えて物体側に戻る（結果として物体側に移動する）。第４レンズ群Ｇ４は、数値実施例１−３では、短焦点距離端から長焦点距離端への変倍に際し、像面に対して固定されている。
【００２１】
図３８の簡易移動図に示すように、第１ａレンズ群Ｇ１ａは、数値実施例４−６では、短焦点距離端から長焦点距離端への変倍に際し、像面に対して固定されている。第１ｂレンズ群Ｇ１ｂは、数値実施例４、６では、短焦点距離端から長焦点距離端への変倍に際し、物体側に移動し、数値実施例５では、一旦物体側に移動してから短焦点距離端の位置を超えて像側に戻る（結果として像側に移動する）。第２レンズ群Ｇ２は、数値実施例４−６では、短焦点距離端から長焦点距離端への変倍に際し、単調に像側に移動する。第３レンズ群Ｇ３は、数値実施例４、６では、短焦点距離端から長焦点距離端への変倍に際し、一旦像側に移動してから若干量だけ物体側に戻り（結果として像側に移動し）、数値実施例５では、単調に像側に移動する。第４レンズ群Ｇ４は、数値実施例４−６では、短焦点距離端から長焦点距離端への変倍に際し、像面に対して固定されている。
【００２２】
第１ａレンズ群Ｇ１ａは、全数値実施例１−６を通じて、物体側から順に、負レンズ１１、正レンズ１２、及び正レンズ１３の３枚のレンズで構成されている。数値実施例２、４、６では、負レンズ１１と正レンズ１２が接合されている。第１ａレンズ群Ｇ１ａは、フォーカシング時に光軸方向の位置（像面との距離）が固定されている。
【００２３】
第１ｂレンズ群Ｇ１ｂは、数値実施例１では、物体側から順に、負レンズ１４及び正レンズ１５の２枚のレンズで構成されている。第１ｂレンズ群Ｇ１ｂは、数値実施例２−６では、１枚の正レンズ１６で構成されている。第１ｂレンズ群Ｇ１ｂは、フォーカシング時に光軸方向に移動するフォーカスレンズ群である（無限遠物体から有限距離物体へ合焦させるに際し第１ｂレンズ群Ｇ１ｂを物体側に移動させてフォーカシングを行う）。
【００２４】
第２レンズ群Ｇ２は、数値実施例１、２、４、６では、物体側から順に、物体側から順に位置する負レンズ２１と正レンズ２２の接合レンズ、及び負レンズ２３の３枚のレンズで構成されている。第２レンズ群Ｇ２は、数値実施例３、５では、物体側から順に、負レンズ２４、物体側から順に位置する負レンズ２５と正レンズ２６の接合レンズ、及び負レンズ２７の４枚のレンズで構成されている。
【００２５】
第３レンズ群Ｇ３は、全数値実施例１−６を通じて、物体側から順に、正レンズ３１、及び物体側から順に位置する正レンズ３２と負レンズ３３の接合レンズの３枚のレンズで構成されている。
【００２６】
第４レンズ群Ｇ４は、全数値実施例１−６を通じて、物体側から順に、正レンズ４１、物体側から順に位置する正レンズ４２と負レンズ４３の接合レンズ、正レンズ４４、負レンズ４５、及び正レンズ４６の６枚のレンズで構成されている。
【００２７】
本実施形態のズームレンズ系は、第１レンズ群Ｇ１を第１ａレンズ群Ｇ１ａと第１ｂレンズ群Ｇ１ｂの２つのレンズ群に分割して、第１ａレンズ群Ｇ１ａをズーミング及びフォーカシング時に光軸方向の位置（像面との距離）が固定された固定レンズ群とし、第１ｂレンズ群をフォーカシング時に光軸方向に移動するフォーカスレンズ群としたインナーフォーカス方式である。これにより、ズーミング及びフォーカシングの際に光学全長が変わらず、Ｆナンバーの変動が少ないズームレンズ系を実現している。
【００２８】
そして本実施形態では、第１レンズ群Ｇ１を分割したフォーカスレンズ群である第１ｂレンズ群Ｇ１ｂのパワーを、条件式（１）を満足するような所定の最適範囲内に規定している。条件式（１）を満足することで、第１ｂレンズ群Ｇ１ｂのフォーカシング移動量を小さくして迅速なフォーカシングが可能になるので、フォーカシング時の色収差変動を小さくすることができる。また、特に長焦点距離端における球面収差や非点収差等の諸収差の発生を抑えることができる。
【００２９】
具体的に条件式（１）は、フォーカスレンズ群である第１ｂレンズ群Ｇ１ｂの焦点距離と、第１ａレンズ群Ｇ１ａの焦点距離との比を規定している。
条件式（１）の上限を超えると、フォーカスレンズ群である第１ｂレンズ群Ｇ１ｂのパワーが弱くなりすぎてフォーカシング移動量が大きくなる結果、フォーカシング時の色収差変動が大きくなる。
条件式（１）の下限を超えると、フォーカスレンズ群である第１ｂレンズ群Ｇ１ｂのパワーが強くなってフォーカシング移動量を小さくできるため迅速なフォーカシングが可能になるが、特に長焦点距離端において球面収差や非点収差等の諸収差が大きく発生する。
【００３０】
条件式（２）は、短焦点距離端における無限遠合焦時の第１レンズ群Ｇ１の焦点距離と、第２レンズ群Ｇ２の焦点距離との比を規定している。条件式（２）を満足することで、ズーム全域に亘って球面収差や非点収差等の諸収差の発生を抑えることができる。
条件式（２）の上限を超えると、第１レンズ群Ｇ１のパワーが強くなりすぎて、特に長焦点距離端において球面収差や非点収差等の諸収差が大きく発生する。
条件式（２）の下限を超えると、第２レンズ群Ｇ２のパワーが強くなってレンズ光学系の小型化には有利であるが、短焦点距離端において非点収差が大きく発生する。
【００３１】
条件式（３）は、短焦点距離端における無限遠合焦時の第１レンズ群Ｇ１の焦点距離と、短焦点距離端における全系の焦点距離との比を規定している。条件式（３）を満足することで、レンズ光学系を小型化するとともに、球面収差や非点収差等の諸収差の発生を抑えることができる。
条件式（３）の上限を超えると、レンズ光学系が大型化する上、非点収差の補正が不十分となる。
条件式（３）の下限を超えると、第１レンズ群Ｇ１のパワーが強くなってレンズ光学系の小型化には有利であるが、球面収差やコマ収差等の諸収差が大きく発生する。
【００３２】
条件式（４）は、第２レンズ群Ｇ２の焦点距離と、短焦点距離端における全系の焦点距離との比を規定している。条件式（４）を満足することで、レンズ光学系を小型化するとともに、ズーム全域に亘って球面収差や非点収差等の諸収差の発生を抑えることができる。
条件式（４）の上限を超えると、第２レンズ群Ｇ２のパワーが強くなりすぎて、非点収差が大きく発生する。また、レンズ光学系の小型化には有利だが、ズーミングにおける収差変動が大きく、ズーム全域で収差をバランスよく補正することが困難となる。
条件式（４）の下限を超えると、第２レンズ群Ｇ２のパワーが弱くなりすぎてレンズ光学系の小型化に不利な上、球面収差の補正が不十分となる。
【００３３】
第１レンズ群Ｇ１の正レンズ１２は、数値実施例３、６では、ｄ線に対するアッベ数が条件式（５）を満足するような低分散のレンズ（例えば蛍石レンズ）を使用している。条件式（５）を満足するような少なくとも１枚の正レンズを第１レンズ群Ｇ１に含ませることで、軸上色収差と倍率色収差をより良好に補正することができる。
【実施例】
【００３４】
次に具体的な数値実施例１−６を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。全数値実施例１−６を通じて、非球面レンズは用いていない。
【００３５】
［数値実施例１］
図１〜図６と表１〜表３は、本発明によるズームレンズ系の数値実施例１を示している。図１は長焦点距離端における無限遠合焦時のレンズ構成図、図２はその縦収差図、図３はその横収差図であり、図４は短焦点距離端における無限遠合焦時のレンズ構成図、図５はその縦収差図、図６はその横収差図である。表１は面データ、表２は各種データ、表３はレンズ群データである。
【００３６】
本数値実施例１のズームレンズ系は、物体側から順に、正の屈折力を持つ第１レンズ群Ｇ１、負の屈折力を持つ第２レンズ群Ｇ２、正の屈折力を持つ第３レンズ群Ｇ３、及び正の屈折力を持つ第４レンズ群Ｇ４で構成されている。第４レンズ群Ｇ４の後方（像面Ｉとの間）には、光学フィルタＯＰとカバーガラスＣＧが配置されている。
【００３７】
第１レンズ群Ｇ１は、物体側から順に、正の屈折力を持つ第１ａレンズ群Ｇ１ａ、及び正の屈折力を持つ第１ｂレンズ群Ｇ１ｂで構成されている。
第１ａレンズ群Ｇ１ａは、物体側から順に、両凹負レンズ１１、両凸正レンズ１２、及び両凸正レンズ１３で構成されている。第１ａレンズ群Ｇ１ａは、フォーカシング時に光軸方向の位置（像面との距離）が固定されている。
第１ｂレンズ群Ｇ１ｂは、物体側から順に、物体側に凸の負メニスカスレンズ１４、及び両凸正レンズ１５で構成されている。第１ｂレンズ群Ｇ１ｂは、フォーカシング時に光軸方向に移動するフォーカスレンズ群である（無限遠物体から有限距離物体へ合焦させるに際し第１ｂレンズ群Ｇ１ｂを物体側に移動させてフォーカシングを行う）。
【００３８】
第２レンズ群Ｇ２は、物体側から順に、物体側から順に位置する両凹負レンズ２１と物体側に凸の正メニスカスレンズ２２の接合レンズ、及び両凹負レンズ２３で構成されている。
【００３９】
第３レンズ群Ｇ３は、物体側から順に、像側に凸の正メニスカスレンズ３１、及び物体側から順に位置する両凸正レンズ３２と像側に凸の負メニスカスレンズ３３の接合レンズで構成されている。
【００４０】
第４レンズ群Ｇ４は、物体側から順に、物体側に凸の正メニスカスレンズ４１、物体側から順に位置する物体側に凸の正メニスカスレンズ４２と物体側に凸の負メニスカスレンズ４３の接合レンズ、両凸正レンズ４４、両凹負レンズ４５、及び両凸正レンズ４６で構成されている。
第３レンズ群Ｇ３と第４レンズ群Ｇ４の間に位置する絞りＳは、第４レンズ群Ｇ４とともに像面に対して固定されている。
【００４１】
（表１）
面データ
面番号          r          d          N(d)        νｄ
1           -93.915      1.00       1.61659       36.6
2            37.787      1.42
3            47.037      3.80       1.49700       81.6
4          -312.628      0.10
5            51.134      3.61       1.49700       81.6
6           -86.241        d6
7            26.081      0.80       1.51742       52.4
8            23.494      0.36
9            26.040      3.54       1.48749       70.4
10         -620.236       d10
11          -64.700      1.00       1.77250       49.6
12            8.023      1.66       1.84666       23.8
13           22.294      0.83
14          -29.302      0.80       1.80420       46.5
15           51.853       d15
16          -32.988      1.39       1.72916       54.7
17          -24.078      0.10
18           29.622      2.42       1.49700       81.6
19          -13.660      0.80       1.83400       37.3
20          -25.664       d20
21絞           ∞        0.24
22           13.166      1.61       1.49700       81.6
23          100.405      0.10
24            6.963      2.46       1.61800       63.4
25           28.602      0.90       1.60342       38.0
26            5.053      3.10
27           31.764      1.65       1.78470       26.1
28          -17.827      0.66
29           -9.799      0.80       1.80610       33.3
30           15.117      0.10
31           11.436      2.31       1.48749       70.4
32          -17.036      8.05
33             ∞        0.55       1.51633       64.1
34             ∞        2.02
35             ∞        0.50       1.51633       64.1
36             ∞          -
（表２）
各種データ
ズーム比（変倍比）    2.82
短焦点距離端          中間焦点距離          長焦点距離端
FNO.            2.9                   2.9                   2.9
f             15.45                 26.00                 43.64
W              17.5                  10.2                   6.0
Y              4.65                  4.65                  4.65
fB             0.53                  0.53                  0.53
L             75.00                 75.00                 75.00
d6             5.43                  5.43                  5.43
d10            1.20                 11.63                 17.64
d15           11.44                  7.73                  1.60
d20            7.72                  1.00                  1.12
（表３）
レンズ群データ
群          始面          焦点距離
1a(1)          1            160.35
1b(1)          7             57.70
2(2)          11            -11.60
3(3)          16             29.95
4(4)          22             26.42
【００４２】
［数値実施例２］
図７〜図１２と表４〜表６は、本発明によるズームレンズ系の数値実施例２を示している。図７は長焦点距離端における無限遠合焦時のレンズ構成図、図８はその縦収差図、図９はその横収差図であり、図１０は短焦点距離端における無限遠合焦時のレンズ構成図、図１１はその縦収差図、図１２はその横収差図である。表４は面データ、表５は各種データ、表６はレンズ群データである。
【００４３】
この数値実施例２のレンズ構成は、以下の点を除いて数値実施例１のレンズ構成と同様である。
（１）第１ａレンズ群Ｇ１ａの両凹負レンズ１１と両凸正レンズ１２が接合されていること。
（２）第１ｂレンズ群Ｇ１ｂが１枚の物体側に凸の正メニスカスレンズ１６で構成されていること。
（３）第３レンズ群Ｇ３と第４レンズ群Ｇ４の間に位置する絞りＳが第３レンズ群Ｇ３と一体に移動すること。
【００４４】
（表４）
面データ
面番号          r          d          N(d)        νｄ
1          -119.189      1.10       1.63980       34.5
2            40.882      4.59       1.49700       81.6
3           -82.262      0.10
4            67.349      2.90       1.48749       70.4
5          -204.758        d5
6            25.128      3.48       1.49700       81.6
7           380.221        d7
8           -99.860      1.00       1.83481       42.7
9             6.217      2.00       1.84666       23.8
10           20.055      0.91
11          -19.872      0.80       1.72916       54.7
12          112.744       d12
13          -54.483      1.39       1.72916       54.7
14          -25.286      0.10
15           27.720      2.26       1.48749       70.4
16          -14.911      0.80       1.84666       23.8
17          -29.157      0.24
18絞           ∞         d18
19           14.325      1.41       1.49700       81.6
20           77.357      0.10
21            6.966      2.36       1.61800       63.4
22           42.189      0.90       1.54814       45.8
23            4.992      4.27
24           31.994      1.67       1.74950       35.0
25          -18.686      0.59
26           -9.728      0.80       1.72342       38.0
27           14.850      0.20
28           10.986      2.27       1.48749       70.4
29          -21.759      6.37
30             ∞        0.55       1.51633       64.1
31             ∞        2.02
32             ∞        0.50       1.51633       64.1
33             ∞          -
（表５）
各種データ
ズーム比（変倍比）    2.83
短焦点距離端          中間焦点距離          長焦点距離端
FNO.            2.9                   2.9                   2.9
f             15.45                 26.00                 43.66
W              17.5                  10.2                   6.0
Y              4.65                  4.65                  4.65
fB             0.53                  0.53                  0.54
L             70.00                 70.00                 70.00
d5             4.99                  4.99                  4.99
d7             1.19                 10.63                 15.90
d12           10.72                  7.23                  1.49
d18            6.89                  0.94                  1.40
（表６）
レンズ群データ
群          始面          焦点距離
1a(1)          1            137.93
1b(1)          6             53.96
2(2)           8            -10.53
3(3)          13             26.23
4(4)          19             26.14
【００４５】
［数値実施例３］
図１３〜図１８と表７〜表９は、本発明によるズームレンズ系の数値実施例３を示している。図１３は長焦点距離端における無限遠合焦時のレンズ構成図、図１４はその縦収差図、図１５はその横収差図であり、図１６は短焦点距離端における無限遠合焦時のレンズ構成図、図１７はその縦収差図、図１８はその横収差図である。表７は面データ、表８は各種データ、表９はレンズ群データである。
【００４６】
この数値実施例３のレンズ構成は、以下の点を除いて数値実施例１のレンズ構成と同様である。
（１）第１ｂレンズ群Ｇ１ｂが物体側に凸の正メニスカスレンズ１６で構成されていること。
（２）第２レンズ群Ｇ２が、物体側から順に、物体側に凸の負メニスカスレンズ２４、物体側から順に位置する両凹負レンズ２５と物体側に凸の正メニスカスレンズ２６の接合レンズ、及び像側に凸の負メニスカスレンズ２７で構成されていること。
（３）第２レンズ群Ｇ２と第３レンズ群Ｇ３の間に位置する絞りＳが第３レンズ群Ｇ３と一体に移動すること。
（４）第４レンズ群Ｇ４の正レンズ４２が両凸正レンズであり、負レンズ４３が両凹負レンズであること。
【００４７】
（表７）
面データ
面番号          r          d          N(d)        νｄ
1           -70.023      1.00       1.67270       32.2
2            63.228      0.47
3            92.238      4.34       1.43875       95.0
4           -42.845      0.10
5            41.812      3.60       1.48749       70.4
6          -170.942        d6 
7            23.765      3.61       1.49700       81.6
8           277.785        d8
9           760.281      1.00       1.62041       60.3
10           15.575      0.98
11         -104.588      1.00       1.75500       52.3
12            7.520      2.53       1.74077       27.8
13          126.244      2.10
14          -18.122      0.80       1.80420       46.5
15          -92.634       d15
16絞           ∞        0.20
17       -52374.977      1.39       1.72916       54.7
18          -33.169      0.10
19           33.599      2.26       1.48749       70.4
20          -16.665      0.80       1.84666       23.8
21          -44.087       d21
22           15.200      1.33       1.60300       65.5
23           44.924      0.10
24            6.613      3.12       1.49700       81.6
25          -36.498      0.90       1.56384       60.8
26            5.121      3.19
27           23.799      1.70       1.75211       25.0
28          -22.589      2.39
29           -9.256      0.80       1.80518       25.5
30           22.697      0.15
31           12.247      2.51       1.48749       70.4
32          -14.816      5.48
33             ∞        0.55       1.51633       64.1
34             ∞        2.02
35             ∞        0.50       1.51633       64.1
36             ∞          -
（表８）
各種データ
ズーム比（変倍比）    2.83
短焦点距離端          中間焦点距離          長焦点距離端
FNO.            2.9                   2.9                   2.9
f             15.45                 26.01                 43.65
W              17.4                  10.1                   6.0
Y              4.65                  4.65                  4.65
fB             0.53                  0.53                  0.53
L             73.00                 73.00                 73.00
d6             4.00                  4.00                  4.00
d8             1.18                  8.11                 12.04
d15           12.29                  8.10                  1.30
d21            3.98                  1.24                  4.11
（表９）
レンズ群データ
群          始面          焦点距離
1a(1)          1             92.93
1b(1)          7             52.05
2(2)           9            -10.06
3(3)          17             29.33
4(4)          22             27.53
【００４８】
［数値実施例４］
図１９〜図２４と表１０〜表１２は、本発明によるズームレンズ系の数値実施例４を示している。図１９は長焦点距離端における無限遠合焦時のレンズ構成図、図２０はその縦収差図、図２１はその横収差図であり、図２２は短焦点距離端における無限遠合焦時のレンズ構成図、図２３はその縦収差図、図２４はその横収差図である。表１０は面データ、表１１は各種データ、表１２はレンズ群データである。
【００４９】
この数値実施例４のレンズ構成は、以下の点を除いて数値実施例２のレンズ構成と同様である。
（１）第２レンズ群Ｇ２と第３レンズ群Ｇ３の間に位置する絞りＳが第３レンズ群Ｇ３と一体に移動すること。
【００５０】
（表１０）
面データ
面番号          r          d          N(d)        νｄ
1          -113.316      1.00       1.63636       35.4
2            41.549      4.30       1.49700       81.6
3           -91.198      0.10
4            63.331      2.67       1.48749       70.4
5          -331.372        d5
6            28.235      3.29       1.49700       81.6
7           616.586        d7
8           -88.983      1.00       1.83481       42.7
9             6.697      1.95       1.84666       23.8
10           22.839      0.84
11          -22.543      0.80       1.72916       54.7
12          125.794       d12
13絞           ∞        0.40
14          -96.774      1.39       1.72916       54.7
15          -31.637      0.10
16           25.863      2.28       1.48749       70.4
17          -15.659      0.80       1.84666       23.8
18          -33.388       d18
19           13.719      1.40       1.49700       81.6
20           61.541      0.10
21            6.851      2.25       1.61800       63.4
22           25.616      0.90       1.54814       45.8
23            4.995      3.80
24           28.111      1.63       1.74950       35.0
25          -20.207      0.91
26           -9.140      0.80       1.72342       38.0
27           14.468      0.10
28           10.992      2.21       1.48749       70.4
29          -20.872      6.09
30             ∞        0.55       1.51633       64.1
31             ∞        2.02
32             ∞        0.50       1.51633       64.1
33             ∞          -
（表１１）
各種データ
ズーム比（変倍比）    2.83
短焦点距離端          中間焦点距離          長焦点距離端
FNO.            2.9                   2.9                   2.9
f             15.45                 26.00                 43.65
W              17.5                  10.2                   6.0
Y              4.65                  4.65                  4.65
fB             0.53                  0.53                  0.53
L             69.99                 69.98                 69.98
d5             6.74                  4.12                  4.10
d7             1.20                 12.68                 18.81
d12           11.00                  7.23                  1.10
d18            6.34                  1.24                  1.26
（表１２）
レンズ群データ
群          始面          焦点距離
1a(1)          1            165.15
1b(2)          6             59.43
2(3)           8            -11.70
3(4)          14             27.21
4(5)          19             26.70
【００５１】
［数値実施例５］
図２５〜図３０と表１３〜表１５は、本発明によるズームレンズ系の数値実施例５を示している。図２５は長焦点距離端における無限遠合焦時のレンズ構成図、図２６はその縦収差図、図２７はその横収差図であり、図２８は短焦点距離端における無限遠合焦時のレンズ構成図、図２９はその縦収差図、図３０はその横収差図である。表１３は面データ、表１４は各種データ、表１５はレンズ群データである。
【００５２】
この数値実施例５のレンズ構成は、以下の点を除いて数値実施例３のレンズ構成と同様である。
（１）第１ａレンズ群Ｇ１ａの正レンズ１３が物体側に凸の正メニスカスレンズであること。
（２）第２レンズ群Ｇ２の負レンズ２４が両凹負レンズであり、正レンズ２６が両凸正レンズであり、負レンズ２７が両凹負レンズであること。
（３）第４レンズ群Ｇ４の正レンズ４２が物体側に凸の正メニスカスレンズであり、負レンズ４３が物体側に凸の負メニスカスレンズであること。
【００５３】
（表１３）
面データ
面番号          r          d          N(d)        νｄ
1         -1078.793      3.64       1.67270       32.2
2           228.294      1.82
3           318.254     15.02       1.49700       81.6
4          -283.104      0.45
5           160.240      9.97       1.48749       70.4
6           402.704        d6
7           121.556     14.61       1.49700       81.6
8          1644.390        d8
9          -332.485      3.18       1.80420       46.5
10           92.022      3.79
11         -115.625      3.18       1.61800       63.4
12           49.051      7.68       1.84666       23.8
13         -769.319      1.70
14         -162.801      3.18       1.83400       37.3
15          134.984       d15
16絞           ∞        1.00
17         -900.404      5.32       1.72916       54.7
18         -101.728      0.23
19           93.925      8.62       1.49700       81.6
20          -80.655      2.28       1.84666       23.8
21         -185.427       d21
22           58.914      4.70       1.72916       54.7
23          117.106      0.23
24           29.271     11.83       1.49700       81.6
25          105.898      4.09       1.58267       46.6
26           22.521     17.32
27          102.961      6.63       1.69680       55.5
28          -77.290      3.10
29          -41.651      2.05       1.74400       44.9
30           87.545      0.23
31           49.088      9.35       1.48749       70.4
32          -93.640     22.75
33             ∞        2.50       1.51633       64.1
34             ∞        9.19
35             ∞        2.27       1.51633       64.1
36             ∞          -
（表１４）
各種データ
ズーム比（変倍比）    2.82
短焦点距離端          中間焦点距離          長焦点距離端
FNO.            2.9                   3.0                   2.9
f             70.21                118.15                198.32
W              17.8                  10.4                   6.1
Y             21.64                 21.64                 21.64
fB             2.49                  2.49                  2.48
L            296.16                296.16                296.16
d6            22.46                 17.20                 23.42
d8             3.43                 58.65                 84.10
d15           32.85                 21.40                  1.28
d21           53.02                 14.51                  2.96
（表１５）
レンズ群データ
群          始面          焦点距離
1a(1)          1            584.42
1b(2)          7            263.26
2(3)           9            -42.29
3(4)          17             84.42
4(5)          22            125.89
【００５４】
［数値実施例６］
図３１〜図３６と表１６〜表１８は、本発明によるズームレンズ系の数値実施例６を示している。図３１は長焦点距離端における無限遠合焦時のレンズ構成図、図３２はその諸収差図、図３３はその横収差図であり、図３４は短焦点距離端における無限遠合焦時のレンズ構成図、図３５はその諸収差図、図３６はその横収差図である。表１６は面データ、表１７は各種データ、表１８はレンズ群データである。
【００５５】
この数値実施例６のレンズ構成は、数値実施例２のレンズ構成と同様である。
【００５６】
（表１６）
面データ
面番号          r          d          N(d)        νｄ
1           -61.575      1.00       1.63980       34.6
2            68.594      4.59       1.43875       95.0
3           -48.112      0.10
4            49.828      3.12       1.48749       70.4
5          -254.458        d5
6            28.028      3.12       1.49700       81.6
7           184.038        d7
8           -88.250      1.00       1.83481       42.7
9             6.390      2.00       1.84666       23.8
10           20.873      0.88
11          -19.969      0.80       1.72916       54.7
12          188.406       d12
13         -111.911      1.40       1.72916       54.7
14          -29.189      0.10
15           26.449      2.47       1.48749       70.4
16          -15.427      0.80       1.84666       23.8
17          -31.044      0.24
18絞           ∞         d18
19           14.211      1.41       1.49700       81.6
20           96.066      0.12
21            6.943      2.31       1.61800       63.4
22           35.507      0.90       1.54814       45.8
23            5.015      4.27
24           26.408      1.64       1.66446       35.8
25          -19.641      0.72
26           -9.068      0.80       1.72342       38.0
27           14.824      0.15
28           11.075      2.26       1.48749       70.4
29          -20.783      5.03
30             ∞        0.55       1.51633       64.1
31             ∞        2.02
32             ∞        0.50       1.51633       64.1
33             ∞          -
（表１７）
各種データ
ズーム比（変倍比）    2.83
短焦点距離端          中間焦点距離          長焦点距離端
FNO.            2.9                   2.9                   2.9
f             15.41                 26.00                 43.65
W              17.6                  10.2                   6.0
Y              4.65                  4.65                  4.65
fB             0.54                  0.53                  0.53
L             69.93                 70.00                 70.00
d5             6.22                  4.42                  4.06
d7             1.12                 12.64                 18.57
d12           10.53                  7.11                  1.50
d18            7.23                  1.00                  1.05
（表１８）
レンズ群データ
群          始面          焦点距離
1a(1)          1            118.00
1b(2)          6             66.09
2(3)           8            -10.93
3(4)          13             24.59
4(5)          19             27.79
【００５７】
各数値実施例の各条件式に対する値を表１９に示す。数値実施例１、２、４、５では、第１レンズ群Ｇ１は、条件式（５）を満足するような正レンズを１枚も有していない。
（表１９）
実施例１     実施例２     実施例３
条件式（１）    0.360        0.391        0.560
条件式（２）   -3.577       -3.721       -3.309
条件式（３）    2.684        2.535        2.156
条件式（４）   -0.750       -0.681       -0.651
条件式（５）        -            -        94.96
実施例４     実施例５     実施例６
条件式（１）    0.360        0.450        0.560
条件式（２）   -3.787       -4.379       -3.911
条件式（３）    2.868        2.637        2.773
条件式（４）   -0.757       -0.602       -0.709
条件式（５）        -            -        94.96
【００５８】
表１９から明らかなように、数値実施例１〜６は条件式（１）〜（４）を満足しており、数値実施例３、６は条件式（５）を満足している。また諸収差図から明らかなように諸収差は比較的よく補正されている。
【００５９】
本特許出願に係る発明の技術的範囲に含まれるズームレンズ系に、実質的なパワーを有さないレンズまたはレンズ群を追加したとしても、本特許出願に係る発明の技術的範囲を回避したことにはならない。
【符号の説明】
【００６０】
Ｇ１  正の屈折力を持つ第１レンズ群
Ｇ１ａ  正の屈折力を持つ第１ａレンズ群
１１  負レンズ
１２  正レンズ
１３  正レンズ
Ｇ１ｂ  正の屈折力を持つ第１ｂレンズ群
１４  負レンズ
１５  正レンズ
１６  正レンズ
Ｇ２  負の屈折力を持つ第２レンズ群
２１  負レンズ
２２  正レンズ
２３  負レンズ
２４  負レンズ
２５  負レンズ
２６  正レンズ
２７  負レンズ
Ｇ３  正の屈折力を持つ第３レンズ群
３１  正レンズ
３２  正レンズ
３３  負レンズ
Ｇ４  正の屈折力を持つ第４レンズ群
４１  正レンズ
４２  正レンズ
４３  負レンズ
４４  正レンズ
４５  負レンズ
４６  正レンズ
ＯＰ  光学フィルタ
ＣＧ  カバーガラス
Ｓ  絞り
Ｉ  像面
【図１】
0005664363.tif 000002
【図２】
0005664363.tif 000003
【図３】
0005664363.tif 000004
【図４】
0005664363.tif 000005
【図５】
0005664363.tif 000006
【図６】
0005664363.tif 000007
【図７】
0005664363.tif 000008
【図８】
0005664363.tif 000009
【図９】
0005664363.tif 000010
【図１０】
0005664363.tif 000011
【図１１】
0005664363.tif 000012
【図１２】
0005664363.tif 000013
【図１３】
0005664363.tif 000014
【図１４】
0005664363.tif 000015
【図１５】
0005664363.tif 000016
【図１６】
0005664363.tif 000017
【図１７】
0005664363.tif 000018
【図１８】
0005664363.tif 000019
【図１９】
0005664363.tif 000020
【図２０】
0005664363.tif 000021
【図２１】
0005664363.tif 000022
【図２２】
0005664363.tif 000023
【図２３】
0005664363.tif 000024
【図２４】
0005664363.tif 000025
【図２５】
0005664363.tif 000026
【図２６】
0005664363.tif 000027
【図２７】
0005664363.tif 000028
【図２８】
0005664363.tif 000029
【図２９】
0005664363.tif 000030
【図３０】
0005664363.tif 000031
【図３１】
0005664363.tif 000032
【図３２】
0005664363.tif 000033
【図３３】
0005664363.tif 000034
【図３４】
0005664363.tif 000035
【図３５】
0005664363.tif 000036
【図３６】
0005664363.tif 000037
【図３７】
0005664363.tif 000038
【図３８】
0005664363.tif 000039